(57)【特許請求の範囲】
【請求項１】
複数のチャネルの集合として個別に定義された複数の仮想コンテナに併せて、これらの仮想コンテナが多重化されたフィールドの配置を個別に示すポインタが含まれ、かつ先行する伝送区間から与えられるフレームとの同期をとると共に、そのフレームからこれらのポインタを抽出する同期制御手段と、
前記同期制御手段によって抽出されたポインタに基づいて、自局に予め割り付けられた特定のチャネルを含む自局落ち仮想コンテナと、その特定のチャネルが何ら含まれない非自局落ち仮想コンテナとを前記フレームから抽出する分離手段と、
前記分離手段によって抽出された自局落ち仮想コンテナに形成される複数のチャネルの内、前記特定のチャネルの伝送情報を蓄積しつつ前記自局に同期するように位相調整して取得し、これらの複数のチャネルの全てあるいは一部の伝送情報が含まれ、かつ形式がこの自局落ち仮想コンテナの形式と同じであると共に、前記分離手段によって抽出された非自局落ち仮想コンテナに同期する特定の仮想コンテナを生成する自局落ち仮想コンテナ適応手段と、
前記フレームに含まれる仮想コンテナの内、前記分離手段によって分離された非自局落ち仮想コンテナと、前記自局落ちコンテナ適応手段によって生成された特定の仮想コンテナとを単一のフレームに多重化して後続する伝送区間に送出する多重化手段と
を備えたことを特徴とするノード装置。
【請求項２】
請求項１に記載のノード装置において、
分離手段および自局落ちコンテナ適応手段に、局情報あるいはその局情報に適応した情報として特定のチャネルを指示する置局条件適応手段を備えた
ことを特徴とするノード装置。
【請求項３】
請求項１または請求項２に記載のノード装置において、
先行する伝送区間から与えられたフレームに含まれる複数の仮想コンテナに個別に配置された警報チャネルについて、伝送情報の論理値が予め決められた値であるか否かの判別を行い、その判別の結果がこれらの警報チャネルの全ての伝送情報について真となったときに、系の再構成を起動する障害処理手段を備え、
自局落ちコンテナ適応手段あるいは多重化手段は、
前記障害処理手段によって行われた判別の結果が前記複数の仮想コンテナに個別に配置された警報チャネルの全てについて真となったときに、特定の仮想コンテナに形成される警報チャネルの伝送情報の値を前記予め決められた値に設定する手段を有する
ことを特徴とするノード装置。
【請求項４】
請求項１ないし請求項３の何れか１項に記載され、かつ伝送路の中継点に個別に配置された複数のノード装置と、
前記伝送路に配置され、その伝送路を介して前記複数のノード装置の監視制御にかかわる情報を送受することによって、これらのノード装置の監視制御を主導的に行う監視制御装置とを備え、
前記複数のノード装置は、
複数の仮想コンテナの内、何れかの仮想コンテナが自局落ち仮想コンテナとして割り付けられ、その自局落ち仮想コンテナに形成された監視制御用のチャネルを介して自局の監視制御にかかわる情報の送受を行い、
前記監視制御装置は、
前記複数の仮想コンテナの内、複数のノード装置に個別に割り付けられた自局落ち仮想コンテナを適宜特定し、その特定された自局落ち仮想コンテナに形成された監視制御用のチャネルを介して前記監視制御にかかわる情報を送受する
ことを特徴とする伝送路監視系。
【請求項５】
請求項１ないし請求項３の何れか１項に記載され、かつ伝送路の中継点に個別に配置された複数のノード装置と、
前記伝送路に配置され、その伝送路を介して前記複数のノード装置の監視制御にかかわる情報を送受することによって、これらのノード装置の監視制御を主導的に行う監視制御装置とを備え、
前記複数のノード装置は、
複数の仮想コンテナの内、何れかの共通の仮想コンテナに形成された監視制御用のチャネルを介して自局の監視制御にかかわる情報の送受を行い、
前記監視制御装置は、
前記複数の仮想コンテナの内、前記共通の仮想コンテナに形成された監視制御用のチャネルを介して前記監視制御にかかわる情報を送受する
ことを特徴とする伝送路監視系。
【発明の詳細な説明】
【０００１】
【発明の属する技術分野】
本発明は、既知のフィールドに個別に配置されたポインタで示されるフィールドに配置され、かつペイロードとして供される複数の仮想コンテナが多重化されてなるフレームの単位に伝送が行われる伝送系において、伝送路と自局に収容された端末とのインタフェースをとるノード装置と、そのノード装置の監視制御が特定の装置によって伝送路を介して行われる伝送路監視系とに関する。
【０００２】
【従来の技術】
近年、情報化社会の進展と共に、多様な伝送情報を安価に、かつ効率的に伝送できる伝送系が強く要望されている。
また、新同期方式（ＳＤＨ:Synchronous Digital Hierarchy) は、日米欧で異なる既存のハイアラキーの信号だけではなく、多様な高速の信号の同期多重化が可能であり、かつ同期転送モード(ＳＴＭ:Synchronous Transfer Mode)だけではなく、広帯域ＩＳＤＮによる非同期転送モード(ＡＴＭ:Asynchronous Transfer Mode）にも適応し、さらに、高度の保守や運用も可能な方式である。
【０００３】
すなわち、新同期方式は、上述した多様な伝送情報の伝送が可能であり、かつ将来的に柔軟なサービスの提供が可能な方式であるために、幹線系の伝送路だけではなく、事業用や私設の伝送路にも多く適用されつつある。
図８は、新同期方式に適応したノード装置の構成例を示す図である。
図において、伝送インタフェース部９０は光伝送路９１の先行する伝送区間（以下、単に「光伝送路９１ｒ」という。）と後続する伝送区間（以下、単に「光伝送路９１ｓ」という。）とに接続され、その伝送インタフェース部９０の第一ないし第三の出力と、第一および第二の入力とはそれぞれフレーム処理部９２の第一ないし第三の入力と、第一および第二の出力とに接続される。フレーム処理部９２の第一ないし第三の出力は中継処理部９３および位相吸収処理部９４の第一ないし第三の入力に接続され、かつそのフレーム処理部９２の第四および第五の出力は中継処理部９３の第四および第五の入力に接続される。中継処理部９３の第一および第二の出力は位相吸収処理部９４の第四および第五の入力に接続され、その位相吸収処理部９４の出力は、図示されない端末の入力に併せて、多重化部９５の第一の入力および制御部９６の入力に接続される。多重化部９５の第二および第三の入力には上述した端末の出力と制御部９６の出力とが接続され、その多重化部９５の出力は中継処理部９３の第六の入力に接続される。タイミング生成部９７の第一の出力は中継処理部９３およびフレーム処理部９２のクロック入力に接続され、かつタイミング生成部９７の第二ないし第五の出力はそれぞれ中継処理部９３の第七ないし第九の入力と位相吸収処理部９４の第六の入力とに接続される。中継処理部９３の第三ないし第六の出力は、それぞれフレーム処理部９２の第四ないし第七の入力に接続される。
【０００４】
また、フレーム処理部９２は、既述の第一ないし第三の入力と、第一および第二の出力とにそれぞれ直結されたフレーム同期部１０１およびフレーム生成部１０２と、第一ないし第五の出力に直結された受信バッファ処理部１０３と、第四ないし第七の入力に直結された送信バッファ処理部１０４とに併せて、フレーム同期部１０１と受信バッファ処理部１０３との段間に並列に配置され、かつ後述する仮想コンテナに個別に対応したチャネルポインタ処理部（ＣＰ）１０５-1〜１０５-3と、同様にして送信バッファ処理部１０４とフレーム生成部１０２との段間に並列に配置されたチャネルポインタ処理部（ＣＰ）１０６-1〜１０６-3とから構成される。
【０００５】
このような構成の従来例では、タイミング生成部９７は、図９に示すフレームを示すベースバンド信号の単位オクテット当たりの期間以下の値（＝25.92(>19.44(＝155.52／8))ＭHz)に周期が設定され、かつデューティ比が「０．５」である装置クロックを自局に設置された装置に網同期の下で供給する。
【０００６】
伝送路インタフェース部９０は、図９に示すように、
(1) ９バイト（列）×９行で構成され、かつ予め決められた位置（ここでは、簡単のため、第４行に配置された９バイトからなると仮定する。）に配置された３つの管理ポインタＨ１〜Ｈ３を含むオーバヘッダＳＯＨと、
(2) これらの管理ポインタＨ１〜Ｈ３の値（語長は、３バイトである。）で先頭のバイトの位置が示され、かつ８５バイト（列）×９行からなる３つの仮想コンテナＶＣ１〜ＶＣ３が配置されると共に、２６１バイト（列）×９行で構成されたペイロードと、
からなるフレームを示すベースバンド信号に併せて、そのベースバンド信号にビット単位に同期した受信クロックと、このベースバンド信号で変調された光信号との間の双方向の変換を並行して行う。
【０００７】
さらに、伝送路インタフェース部９０は、光伝送路９１ｒを介して与えられる光信号については、その光信号が正常に受光されているか否かを判別し、その判別の結果を示す監視情報をフレーム処理部９２に与える。
また、フレーム処理部９２では、フレーム同期部１０１は、上述したように伝送路インタフェース部９０が与えるベースバンド信号（以下、「受信ベースバンド信号」という。）、受信クロックおよび監視情報を取り込み、かつ図９に示すフレームフォーマットに基づいてその受信ベースバンド信号とのフレーム同期をとると共に、これらの受信ベースバンド信号、受信クロックおよび監視情報をチャネルポインタ処理部１０５-1〜１０５-3に与える。
【０００８】
なお、フレーム同期部１０１は、既述のフレーム同期が正常にとられているか否かの判別の結果を上述した監視情報に付加する。
チャネルポインタ処理部１０５-1〜１０５-3は、上述したフレーム同期の下で、既述のオーバヘッドＳＯＨを構成するフィールドの内、管理ポインタＨ１〜Ｈ３をそれぞれ抽出し、かつ受信ベースバンド信号、受信クロックおよび監視情報を受信バッファ処理部１０３に引き渡す。
【０００９】
なお、チャネルポインタ処理部１０５-1〜１０５-3は、それぞれ管理ポインタＨ１〜Ｈ３の値が正常であるか否かを判別し、その判別の結果を上述した監視情報に付加する。
受信バッファ処理部１０３は、既述のフレーム同期の下でこれらの管理ポインタＨ１〜Ｈ３の値を適用しつつ引き渡された受信クロックを計数することによって、図１０に示すように、
(a) 管理ポインタＨ１〜Ｈ３がそれぞれオーバヘッドＳＯＨに配置される期間の内、先頭の管理ポインタＨ１を構成する先頭のバイト＃１がそのオーバヘッド
ＳＯＨに配置される期間に限って論理値が「１」となるＲＴ信号と、
(b) 管理ポインタＨ１〜Ｈ３の何れか１つ（ここでは、簡単のため、管理ポインタＨ１であると仮定する。）全てについて、その管理ポインタＨ１を構成する３バイトの内、第一のバイト＃１がペイロードに配置される期間に限って論理値が「１」となるＲＣＴ信号と、
(c) フレーム周期毎に、ペイロードに仮想コンテナＶＣ１〜ＶＣ３の何れかが配置される期間に限って論理値が「１」となるＲＤＥ信号と
を生成する。
【００１０】
また、位相吸収処理部９４は、上述したＲＴ信号およびＲＤＥ信号と、ＲＣＴ信号（中継処理部９３を介して与えられる。）との論理値の組み合わせに基づいて、仮想コンテナＶＣ１〜ＶＣ３の内、自局に収容された端末に予め割り付けられた仮想コンテナ（ここでは、簡単のため仮想コンテナＶＣ１であると仮定する。）がフレーム処理部９２を介して受信ベースバンド信号として与えられる期間を識別すると共に、このような期間に与えられる仮想コンテナＶＣ１の内容を内蔵されたバッファメモリ（図示されない。）にリサイクリックに蓄積する。
【００１１】
なお、このようにしてバッファメモリに蓄積される情報については、ここでは、簡単のため、上述した仮想コンテナＶＣ１に論理的に形成されるチャネルの内、端末に予め割り付けられた特定のチャネルであると仮定する。
【００１２】
タイミング生成部９７は、上述した装置クロックの生成に際して適用され、かつ内蔵された分周回路（図示されない。）が与える計数値を出力する。
また、位相吸収処理部９４は、フレーム処理部９２によって与えられたＲＴ信号、ＲＣＴ信号およびＲＤＥ信号に同期してこのような計数値を参照（デコード）することによって、光伝送路９１ｒとの位相が吸収されるために適用されるべきタイミング信号を生成する。
【００１３】
さらに、位相吸収処理部９４は、上述したバッファメモリに先行して蓄積された情報をこのようにして生成されたタイミング信号に同期して読み出すと共に、そのＶＣ１に論理的に形成されるチャネルの内、既述の特定のチャネルに対応する期間にはこの情報を端末に与える。
なお、位相吸収処理部９４は、フレーム処理部９２から中継処理部９３を介して与えられる監視情報が「何らかの障害」を意味する場合には、上述したバッファメモリの読み出しを取り止め、あるいは読み出した情報（仮想コンテナＶＣ１の内容）をマスクする処理を行う。
【００１４】
ところで、タイミング生成部９７は、上述した装置クロックに同期して自局（上述した端末を含む。）で生成されるフレームとの関連性においては、既述の受信ベースバンド信号に対応するＲＴ信号、ＲＣＴ信号およびＲＤＥ信号と等価であるＳＴ信号、ＳＣＴ信号およびＳＤＥ信号を生成する。
また、制御部９６は、上述したように位相吸収処理部９４が端末に情報を与えるタイミングを基準とすることによって、その端末によって伝送情報が与えられる期間を求める。
【００１５】
さらに、多重化部９５は、このようにして求められた期間に端末によって与えられる伝送情報を上述した仮想コンテナＶＣ１に配置可能な形式に変換することによって第一の送信ベースバンド信号を生成する。
【００１６】
一方、中継処理部９３は、図９に示すフレームの内、既述の仮想コンテナＶＣ１以外のすべのフィールドの内容をフレーム周期以上に亘って蓄積可能なサイズのバッファメモリ（図示されない。）を有し、フレーム処理部９２（受信バッファ処理部１０３）によって生成されたＲＴ信号、ＲＣＴ信号およびＲＤＥ信号をデコードすることによって、これらの信号と共に与えられた受信ベースバンド信号（仮想コンテナＶＣ１を含まない。）をそのバッファメモリにリサイクリックに蓄積する。
【００１７】
さらに、中継処理部９３は、
<1> 上述したＳＴ信号、ＳＣＴ信号およびＳＤＥ信号をデコードして装置クロックに同期したフレーム同期を局部的に確立し、
<2> 先行してバッファメモリに蓄積された受信ベースバンド信号をそのフレーム同期の下で読み出すことによって、第二の送信ベースバンド信号を生成すると共に、
<3> その第二の送信ベースバンド信号と既述の第一のベースバンド信号とを多重化することによって、送信ベースバンド信号を生成し、
<4> さらに、これらの送信ベースバンド信号、ＳＴ信号、ＳＣＴ信号およびＳＤＥ信号をフレーム処理部９２に与える。
【００１８】
フレーム処理部９２に備えられた送信バッファ処理部１０４、チャネルポインタ処理部１０６-1〜１０６-3およびフレーム生成部１０２は、それぞれ受信バッファ処理部１０３、チャネルポインタ処理部１０５-1〜１０５-3およびフレーム同期部１０１が行う既述の処理に対して可逆的な処理を行うことによって、上述したベースバンド信号に同期した送信クロックを生成する。
【００１９】
さらに、伝送路インタフェース部９０は、そのベースバンド信号を送信クロックに同期して光信号に変換すると共に、その光信号を後続する伝送区間である光伝送路９１ｓに向けて出射する。
【００２０】
したがって、光伝送路９１の中継点では、後続する伝送区間に対する中継に並行して自局に収容された端末が送信元あるいは宛先となるべき伝送情報のインサートおよびディベロップが確度高く行われる。
【００２１】
【発明が解決しようとする課題】
ところで、上述した従来例では、ペイロードに配置された仮想コンテナＶＣ１〜ＶＣ３の全ての中継が同期多重方式に基づいて行われるために、中継処理部９３および位相吸収処理部９４には既述のバッファメモリが備えられていた。
【００２２】
しかし、このようなバッファメモリについては、仮想コンテナＶＣ１〜ＶＣ３にかかわるスタッフィングが非同期に行われ得るために、これらの仮想コンテナＶＣ１〜ＶＣ３と図９に示す他の全てのフィールドとに個別に対応した記憶領域に併せて、これらの記憶領域の領域管理やアドレッシングとを個別に行うハードウエアが搭載されなければならない。
【００２３】
したがって、従来例では、ハードウエアのサイズが増加して高密度実装、消費電力の節減が妨げられる可能性が高かった。
なお、このような問題点を回避するために適用が可能である公知の技術としては、例えば、新同期方式が適用された伝送系については、先行する伝送区間および後続する伝送区間との間にかかわるリタイミングが適宜行われることによって、上述バッファメモリが搭載されることなく構成され得るＳＤＨ多重方式がある。
【００２４】
しかし、このようなＳＤＨ多重方式が適用された場合には、管理ポインタＨ１〜Ｈ３の正規性は先行する伝送区間で生じた擾乱等に起因して保証されない可能性があり、かつ後続する伝送区間にもその正規性の乱れが波及する可能性が高いために、実際には適用できない場合が多かった。
本発明は、設置条件に柔軟に適応し、かつハードウエアのサイズの削減が確度高く達成されるノード装置および伝送路監視系を提供することを目的とする。
【００２５】
【課題を解決するための手段】
図１は、請求項１〜３に記載の発明の原理ブロック図である。
請求項１に記載の発明は、複数のチャネルの集合として個別に定義された複数の仮想コンテナに併せて、これらの仮想コンテナが多重化されたフィールドの配置を個別に示すポインタが含まれ、かつ先行する伝送区間から与えられるフレームとの同期をとると共に、そのフレームからこれらのポインタを抽出する同期制御手段１１と、同期制御手段１１によって抽出されたポインタに基づいて、自局に予め割り付けられた特定のチャネルを含む自局落ち仮想コンテナと、その特定のチャネルが何ら含まれない非自局落ち仮想コンテナとをフレームから抽出する分離手段１２と、分離手段１２によって抽出された自局落ち仮想コンテナに形成される複数のチャネルの内、特定のチャネルの伝送情報を蓄積しつつ自局に同期するように位相調整して取得し、これらの複数のチャネルの全てあるいは一部の伝送情報が含まれ、かつ形式がこの自局落ち仮想コンテナの形式と同じであると共に、分離手段１２によって抽出された非自局落ち仮想コンテナに同期する特定の仮想コンテナを生成する自局落ちコンテナ適応手段１３と、フレームに含まれる仮想コンテナの内、分離手段１２によって分離された非自局落ち仮想コンテナと、自局落ちコンテナ適応手段１３によって生成された特定の仮想コンテナとを単一のフレームに多重化して後続する伝送区間に送出する多重化手段１４とを備えたことを特徴とする。
【００２６】
請求項２に記載の発明は、請求項１に記載のノード装置において、分離手段１２および自局落ちコンテナ適応手段１３に、局情報あるいはその局情報に適応した情報として特定のチャネルを指示する置局条件適応手段２１を備えたことを特徴とする。
請求項３に記載の発明は、請求項１または請求項２に記載のノード装置において、先行する伝送区間から与えられたフレームに含まれる複数の仮想コンテナに個別に配置された警報チャネルについて、伝送情報の論理値が予め決められた値であるか否かの判別を行い、その判別の結果がこれらの警報チャネルの全ての伝送情報について真となったときに、系の再構成を起動する障害処理手段３１を備え、自局落ちコンテナ適応手段１３あるいは多重化手段１４は、障害処理手段３１によって行われた判別の結果が複数の仮想コンテナに個別に配置された警報チャネルの全てについて真となったときに、特定の仮想コンテナに形成される警報チャネルの伝送情報の値を予め決められた値に設定する手段を有することを特徴とする。
【００２７】
図２は、請求項４、５に記載の発明の原理ブロック図である。
請求項４に記載の発明は、請求項１ないし請求項３の何れか１項に記載され、かつ伝送路４０の中継点に個別に配置された複数のノード装置４１-1〜４１-Nと、伝送路４０に配置され、その伝送路４０を介して複数のノード装置４１-1〜４１-Nの監視制御にかかわる情報を送受することによって、これらのノード装置４０-1〜４０-Nの監視制御を主導的に行う監視制御装置４２とを備え、複数のノード装置４１-1〜４１-Nは、複数の仮想コンテナの内、何れかの仮想コンテナが自局落ち仮想コンテナとして割り付けられ、その自局落ち仮想コンテナに形成された監視制御用のチャネルを介して自局の監視制御にかかわる情報の送受を行い、監視制御装置４２は、複数の仮想コンテナの内、複数のノード装置４１-1〜４１-Nに個別に割り付けられた自局落ち仮想コンテナを適宜特定し、その特定された自局落ち仮想コンテナに形成された監視制御用のチャネルを介して監視制御にかかわる情報を送受することを特徴とする。
【００２８】
請求項５に記載の発明は、請求項１ないし請求項３の何れか１項に記載され、かつ伝送路４０の中継点に個別に配置された複数のノード装置４１-1〜４１-Nと、伝送路４０に配置され、その伝送路４０を介して複数のノード装置４１-1〜４１-Nの監視制御にかかわる情報を送受することによって、これらのノード装置４０-1〜４０-Nの監視制御を主導的に行う監視制御装置４２とを備え、複数のノード装置４１-1〜４１-Nは、複数の仮想コンテナの内、何れかの共通の仮想コンテナに形成された監視制御用のチャネルを介して自局の監視制御にかかわる情報の送受を行い、監視制御装置４２は、複数の仮想コンテナの内、共通の仮想コンテナに形成された監視制御用のチャネルを介して監視制御にかかわる情報を送受することを特徴とする。
【００２９】
請求項１に記載の発明にかかわるノード装置では、同期制御手段１１は、複数のチャネルの集合として個別に定義された複数の仮想コンテナに併せて、これらの仮想コンテナが多重化されたフィールドの配置を個別に示すポインタが含まれてなるフレームが先行する伝送区間から与えられ、そのフレームとの同期をとると共に、これらのポインタを抽出する。分離手段１２は、その抽出されたポインタに基づいて、自局に予め割り付けられた特定のチャネルを含む自局落ち仮想コンテナと、その特定のチャネルが何ら含まれない非自局落ち仮想コンテナとを上述したフレームから抽出する。
【００３０】
また、自局落ちコンテナ適応手段１３は、このようにして抽出された自局落ち仮想コンテナに形成される複数のチャネルの内、上述した特定のチャネルの伝送情報を蓄積しつつ自局に同期して取得する。
さらに、自局落ちコンテナ適応手段１３は、上述したように自局落ち仮想コンテナに形成される複数のチャネルの全てあるいは一部の伝送情報が含まれ、かつ形式がこの自局落ち仮想コンテナの形式と同じであると共に、分離手段１２によっ抽出された非自局落ち仮想コンテナに同期する特定の仮想コンテナを生成する。
【００３１】
また、多重化手段１４は、上述したフレームに含まれる仮想コンテナの内、分離手段１２によって分離された非自局落ち仮想コンテナと、自局落ちコンテナ適応手段１３によって生成された特定の仮想コンテナとを単一のフレームに多重化して後続する伝送区間に送出する。
すなわち、先行する伝送区間から与えられたフレームに含まれる複数の仮想コンテナの内、上述した自局落ち仮想コンテナのみは、自局落ちコンテナ適応手段１４によって蓄積されることによって、自局あるいは自局に収容された端末との位相や伝送速度にかかわる相違が吸収されつつ後続する伝送区間に中継される。
【００３２】
しかし、非自局落ち仮想コンテナについては、このような蓄積が行われることなくその自局落ちコンテナと共に多重化されることによって後続する伝送区間に中継される。
したがって、非自局落ちコンテナについても同期多重方式に基づいて中継が行われていた従来例に比べて、ハードウエアのサイズの削減と伝送遅延時間の短縮とがはかられる。
【００３３】
請求項２に記載の発明にかかわるノード装置では、請求項１に記載のノード装置において、置局条件適応手段２１は、分離手段１２および自局落ちコンテナ適応手段１３に局情報あるいはその局情報に適応した情報として特定のチャネルを指示する。
すなわち、自局落ち仮想コンテナと非自局落ち仮想コンテナとについては、接続されるべき伝送路の構成、ハードウエアの増設、改修、保守その他の要求に応じてハードウエアの構成に変更が生じることなく柔軟な設定が可能となる。
【００３４】
請求項３に記載の発明にかかわるノード装置では、請求項１または請求項２に記載のノード装置において、障害処理手段３１は、先行する伝送区間から与えられたフレームに含まれる複数の仮想コンテナに個別に配置された警報チャネルについて、伝送情報の論理値が予め決められた値であるか否かの判別を行い、その判別の結果がこれらの警報チャネルの全ての伝送情報について真となったときに、系の再構成を起動する。
【００３５】
また、自局落ちコンテナ適応手段１３あるいは多重化手段１４は、上述した判別の結果が複数の仮想コンテナに個別に配置された警報チャネルの全てについて真となったときに、特定の仮想コンテナに形成される警報チャネルの伝送情報の値を予め決められた値に設定する。
すなわち、直近の先行する伝送区間に生じ、かつ上述した警報チャネルの全てについて障害処理手段３１によって行われた判別の結果が共に真となる要因となった障害については、さらに、後続する伝送区間にも全ての警報チャネルを介して順次通知される。
【００３６】
したがって、これらの後続する伝送区間に配置されるノード装置では、系の再構成が個別に確度高く行われる。
請求項４に記載の発明にかかわる伝送路監視系では、監視制御装置４２は、請求項１ないし請求項３の何れか１項に記載され、かつ伝送路４０の中継点に個別に配置された複数のノード装置４１-1〜４１-Nと共に、その伝送路４０に配置され、この伝送路４０を介して監視制御にかかわる情報を送受することによって、これらのノード装置４０-1〜４０-Nの監視制御を主導的に行う。
【００３７】
さらに、監視制御装置４２は、複数の仮想コンテナの内、複数のノード装置４１-1〜４１-Nに個別に割り付けられた自局落ち仮想コンテナを適宜特定し、その特定された自局落ち仮想コンテナに形成される監視制御用のチャネルを介して上述した監視制御にかかわる情報を送受する。
一方、複数のノード装置４１-1〜４１-Nは、複数の仮想コンテナの内、何れかの仮想コンテナが自局落ち仮想コンテナとして割り付けられ、その自局落ち仮想コンテナに形成された監視制御用のチャネルを介して自局の監視制御にかかわる情報の送受を行う。
【００３８】
すなわち、監視制御にかかわる情報については、その情報の宛先あるいは送信元となるべき複数のノード装置４１-1〜４１-Nに個別に割り付けられた自局落ち仮想コンテナのみに形成された監視制御用のチャネルを介して送受される。
したがって、ノード装置４１-1〜４１-Nについては、それぞれ非自局落ち仮想コンテナの中継に供されるべきハードウエアに変更が生じることなく、上述した監視制御装置４２の主導の下で監視制御が達成される。
【００３９】
請求項５に記載の発明にかかわる伝送路監視系では、監視制御手段４２は、請求項１ないし請求項３の何れか１項に記載され、かつ伝送路４０の中継点に個別に配置された複数のノード装置４１-1〜４１-Nと共に、その伝送路４０に配置され、この伝送路４０を介して監視制御にかかわる情報を送受することによって、これらのノード装置４０-1〜４０-Nの監視制御を主導的に行う。
【００４０】
さらに、監視制御装置４２は、複数の仮想コンテナの内、何れかの共通の仮想コンテナに形成された監視制御用のチャネルを介して監視制御にかかわる情報を送受する。
一方、複数のノード装置４１-1〜４１-Nは、複数の仮想コンテナの内、上述した共通の仮想コンテナに形成された監視制御用のチャネルを介して自局の監視制御にかかわる情報の送受を行う。
【００４１】
すなわち、監視制御にかかわる情報については、その情報の宛先あるいは送信元となり得る複数のノード装置４１-1〜４１-Nに共通に割り付けられた仮想コンテナに形成された監視制御用のチャネルを介して送受される。
したがって、これらのノード装置４１-1〜４１-Nについては、上述した監視制御用のチャネルが形成される仮想コンテナが自局落ち仮想コンテナに相当する場合には、非自局落ち仮想コンテナの中継に供されるべきハードウエアに変更が生じることなく上述した監視制御装置４２の主導による監視制御が達成され、反対に非自局落ち仮想コンテナに相当する場合には、ハードウエアの構成の標準化がはかられる。
【００４２】
また、監視制御装置４２では、監視制御用のチャネルが上述した共通の仮想コンテナのみに形成されるので、請求項４に記載の伝送路監視系に比べて、監視制御にかかわる処理の簡略化がはかられる。
【００４３】
【発明の実施の形態】
以下、図面に基づいて本発明の実施形態について詳細に説明する。
【００４４】
図３は、請求項１、２に記載の発明に対応した実施形態を示す図である。
図において、図８に示すものと機能および構成が同じものについては、同じ符号を付与して示し、ここではその説明を省略する。
【００４５】
本実施形態と図８に示す従来例との構成の相違点は、中継処理部９３に代えて中継処理部７１が備えられた点にある。
中継処理部７１では、リタイミング部７２には、受信バッファ処理部１０３によって生成された受信ベースバンド信号、ＲＣＴ信号、ＲＴ信号、ＲＤＥ信号および監視情報と、タイミング生成部９７によって生成された装置クロック、ＳＣＴ信号、ＳＴ信号およびＳＤＥ信号に併せて、多重化部９５によって生成された第一の送信ベースバンド信号とが与えられる。リタイミング部７２の出力の内、上述した監視情報に対応する出力は、ゲート回路７３の一方の入力に接続され、そのゲート回路７３の出力はこのリタイミング部７２を介して位相吸収処理部９４の第四の入力に接続される。リタイミング部７２の出力の内、上述したＲＣＴ信号に対応した出力は位相シフタ７４の入力に接続され、その位相シフタ７４の第一ないし第四の出力は位相差検出部７６および受信チャネルセレクタ７５の第一ないし第四の入力に接続される。受信チャネルセレクタ７５の選択入力には所望のチャネル番号が与えられ、その受信チャネルセレクタ７５の出力はゲート回路７３の他方の入力に接続されると共に、リタイミング部７２を介して位相吸収処理部９４の第五の入力に接続される。リタイミング部７２の出力の内、受信ベースバンド信号、ＲＴ信号およびＲＤＥ信号に対応する出力は位相シフタ７７の対応する入力に接続され、その位相シフタ７７の第一ないし第四の出力と位相差検出部７６の第一ないし第四の出力とはそれぞれ一次セレクタ７８の第一ないし第八の入力に接続される。
【００４６】
また、リタイミング部７２の出力の内、上述したＳＣＴ信号に対応する出力は、副リタイミング部７９の第一の入力と、位相差検出部７６の第五の入力と、タイミングデコーダ８０の一方の入力とに接続されると共に、そのリタイミング部７２を介してフレーム処理部９２の対応する入力に接続される。リタイミング部７２の出力の内、第一の送信ベースバンド信号、ＳＴ信号およびＳＤＥ信号に対応する出力は副リタイミング部７９の第二ないし第四の入力に接続され、その副リタイミング部７９の出力と一次セレクタ７８の出力とは二次セレクタ８１の第一および第二の入力にそれぞれ接続される。タイミングデコーダ８０の第一ないし第四の出力は、それぞれ送信チャネルセレクタ８２の第一ないし第四の入力に接続される。送信チャネルセレクタ８２の出力は二次セレクタ８１の選択入力に接続され、その二次セレクタ８１の出力はリタイミング部７２を介してフレーム処理部９２の第四、第六および第七の入力に接続される。リタイミング部７２およびタイミングデコーダ８０のクロック端子にはタイミング生成部９７によって生成された装置クロックが与えられ、かつ送信チャネルセレクタ８２の選択入力には、後述するチャネルが与えられる。
【００４７】
なお、本実施形態と図１に記載の発明に対応したブロック図との対応関係については、伝送路インタフェース部９０、フレーム同期部１０１およびチャネルポインタ処理部１０５-1〜１０５-3は同期制御手段１１に対応し、受信バッファ処理部１０３、リタイミング部７２、ゲート回路７３、位相シフタ７４、７７、受信チャネルセレクタ７５および位相差検出部７６は分離手段１２に対応し、位相吸収処理部９４および制御部９６は自局落ちコンテナ適応手段１３に対応し、多重化部９５および制御部９６は多重化手段１４に対応し、受信チャネルセレクタ７５および送信チャネルセレクタ８２は置局条件適応手段２１に対応し、制御部９６は障害処理手段３１に対応する。
【００４８】
以下、図３を参照して請求項１、２に記載の発明に対応した本実施形態の動作を説明する。
まず、伝送路インタフェース部９０、フレーム処理部９２、位相吸収処理部９４、多重化部９５、制御部９６およびタイミング生成部９７の動作については、図８に示す従来例における動作と同じであるので、以下では、その説明を省略する。
【００４９】
中継処理部７１では、リタイミング部７２は、タイミング生成部９７によって生成された装置クロックの前縁あるいは後縁の時点で、フレーム処理部９２、位相吸収処理部９４および多重化部９５との間で従来例と同様にして送受される全ての信号を並行してラッチすることによって、これらの信号と装置クロックとの同期をとる。
【００５０】
すなわち、中継処理部７１の構成要素は、上述した装置クロックに同期して作動するので、以下では、リタイミング部７２の動作については、簡単のため、説明を省略することとする。
位相シフタ７４は、フレーム処理部９２（受信バッファ処理部１０３）によって生成されたＲＣＴ信号に装置クロックの周期Ｔの１倍ないし３倍の遅延をそれぞれ与えることによって３つのＲＣＴ信号（以下、単に「遅延ＲＣＴ信号」という。）を並行して生成し、これらの遅延ＲＣＴ信号に併せて、このような遅延が何ら与えられていないＲＣＴ信号を位相差検出部７６および受信チャネルセレクタ７５に与える。
【００５１】
なお、これらのＲＣＴ信号および３つの遅延ＲＣＴ信号からなる集合については、簡単のため、「多相ＲＣＴ信号」と称することとする。
受信チャネルセレクタ７５は、端末に予め割り付けられた特定のチャネルの番号を示すビット列（ここでは、簡単のため、上位オーダの値で特定のチャネルが形成される仮想コンテナが示されると仮定する。）に基づいて、多層ＲＣＴ信号の内、その特定のチャネルが配置された仮想コンテナと、この仮想コンテナに形成されるチャネルの内、この特定のチャネルに割り付けられたタイムスロットとを示すＲＣＴ信号を生成すると共に、そのＲＣＴ信号を位相吸収処理部９４に与える。
【００５２】
また、ゲート回路７３は、フレーム処理部９２（受信バッファ処理部１０３）によって生成された監視情報と、上述したように受信チャネルセレクタ７５によって生成されたＲＣＴ信号との論理積をとることによって、その監視情報の内、端末に予め割り付けられた特定のチャネルに対応する監視情報のみを抽出して位相差吸収処理部９４に与える。
【００５３】
すなわち、位相差吸収処理部９４は、中継処理部７１に備えられたリタイミング部７２、位相シフタ７４、受信チャネルセレクタ７５およびゲート回路７３の連係の下で、図９に示す従来例と同様にＲＣＴ信号および監視情報が与えられ、かつ受信ベースバンド信号、ＲＴ信号およびＲＤＥ信号については、フレーム処理部９２（受信バッファ処理部１０３）によって直接与えられる。
【００５４】
したがって、端末には、仮想コンテナＶＣ１〜ＶＣ３の何れかに形成された特定のチャネルについて上述した監視情報が何らかの障害の発生を意味しない限り、従来例と同様にして、その特定のチャネルを介して受信された伝送情報が与えられる。
また、位相差検出部７６は、上述したように位相シフタ７４によって与えられる多相ＲＣＴ信号と、タイミング生成部９７によって生成されたＳＣＴ信号との論理積を並行してとることによって、その多層ＲＣＴ信号である４つのＲＣＴ信号の位相がそれぞれそのＳＣＴ信号の位相と一致しているか否かを示す４つの判定信号を出力する。
【００５５】
一方、位相シフタ７７は、フレーム処理部９２（受信バッファ処理部１０３）によって生成された受信ベースバンド信号、ＲＴ信号およびＲＤＥ信号（以下、これらの信号からなる集合を「第一の被中継信号」という。）に、装置クロックの周期Ｔの１倍ないし３倍の遅延を与えることによって３つの「第一の遅延被中継信号」を生成し、これらの「第一の遅延被中継信号」に併せて、このような遅延が何ら与えられていない「第一の被中継信号」を一次セレクタ７８に並行して与える。
【００５６】
一次セレクタ７８は、上述した４つの判定信号の内、対応する判定の結果が真である（位相がＳＣＴ信号の位相と一致することを意味する。）判定信号に対応した「第一の被中継信号」、あるいは３つの「第一の遅延被中継信号」の何れか１つを選択する。
なお、このようにして一次セレクタ７８によって選択された「第一の被中継信号」あるいは「第一の遅延被中継信号」については、以下では、「特定中継信号」と称することとする。
【００５７】
また、タイミングデコーダ８０は、タイミング生成部９７によって生成されたＳＣＴ信号に、装置クロックの周期Ｔの１倍ないし３倍の遅延を与えることによって３つの遅延ＳＣＴ信号を生成し、これらの遅延ＳＣＴ信号に併せて、このような遅延が何ら与えられていないＳＣＴ信号を送信チャネルセレクタ８２に並行して与える。
【００５８】
送信チャネルセレクタ８２には、仮想コンテナＶＣ１〜ＶＣ３の内、上述した特定のチャネルが何ら含まれない仮想コンテナに形成されるべきチャネルを示すチャネル番号が予め与えられる。
さらに、送信チャネルセレクタ８２は、上述したようにタイミングデコーダ８０によって並行して与えられるＳＣＴ信号および３つの遅延ＳＣＴ信号の内、このようなチャネル番号の上位オーダの値に対応した何れか１つの信号（以下、「適用ＳＣＴ信号」という。）を選択する。
【００５９】
また、副リタイミング部７９は、多重化部９５によって与えられる第一の送信ベースバンド信号に併せて、タイミング生成部９７によって生成されたＳＴ信号およびＳＤＥ信号からなる「第二の被中継信号」を装置クロックに同期してリタイミングしつつ二次セレクタ８１に与える。
なお、このような第一の送信ベースバンド信号については、仮想コンテナＶＣ１に形成されるチャネルの内、端末に予め割り付けられた特定のチャネルにその端末によって送出された伝送情報が配置され、その他のチャネルには、何ら伝送情報のインサートおよびディベロップが行われることなく、フレーム処理部９２（受信バッファ処理部１０３）から位相吸収処理部９４および多重化部９５を介して引き渡される。
【００６０】
二次セレクタ８１は、送信チャネルセレクタ８２によって選択された「適用ＳＣＴ信号」に同期しつつ、上述したように一次セレクタ７８と副リタイミング部７９とによってそれぞれ与えられる特定の中継信号と第二の被中継信号との内、その「適用ＳＣＴ信号」の論理値に適応した一方を交互に選択することによって中継信号を生成すると共に、その中継信号を構成する送信ベースバンド信号、ＳＴ信号およびＳＤＥ信号をフレーム処理部９２に与える。
【００６１】
すなわち、仮想コンテナＶＣ１〜ＶＣ３の内、端末に割り付けられた特定のチャネルが何ら形成されない仮想コンテナＶＣ２、ＶＣ３については、中継処理部７１において既述の通りに行われる処理の下でバッファメモリを介することなく、光伝送路９１ｒから光伝送す９１ｓに中継される。
このように本実施形態によれば、端末に割り付けられた何らかのチャネルが形成される仮想コンテナのみが同期多重化方式に基づいて中継され、その他の仮想コンテナがＳＤＨ多重化方式に基づいて中継されるので、全ての仮想コンテナが同期多重化方式に基づいて中継されていた従来例に比べて、搭載されるべきバッファメモリのサイズの削減が確実に達成される。
【００６２】
さらに、アドレッシング、書き込みおよび読み出しは実際に搭載されたバッファメモリのみに適応したハードウエアが搭載されることによって達成されるので、ハードウエアの規模の縮小化に併せて、性能および信頼性の向上がはかられる。
また、仮想コンテナＶＣ１〜ＶＣ３の内、上述したようにＳＤＨ多重化方式に基づいて中継が行われる仮想コンテナＶＣ２、ＶＣ３に形成されるチャネルについては、既述のバッファメモリに蓄積される期間に相当する遅延が高い比率で圧縮されるので、複数の伝送区間（ノード装置）を介して中継が行われる場合であっても、個々の伝送区間、ノード装置および端末について許容され得る伝送遅延時間の余裕度が大きく確保され、かつ伝送品質が高められる。
【００６３】
なお、本実施形態では、受信チャネルセレクタ７５および送信チャネルセレクタ８２にそれぞれチャネル番号を与えるハードウエアやソフトウエアが何ら示されていないが、このようなチャネル番号については、例えば、ディップスイッチの接点の組み合わせ、ＲＯＭに予め書き込まれた情報その他として一定の値が設定されてもよく、さらに、局情報のようなデータベースとして予め設定された値が保守運用にかかわる処理を行うプロセッサ等を介して適宜与えられることによって、置局条件に対する柔軟な適応がはかられてもよい。
【００６４】
図４は、請求項３〜５に記載の発明に対応した実施形態を示す図である。
本実施形態では、環状に形成され、かつ伝送方向が互いに反対である２つの光伝送路９１Ｕ、９１Ｄが敷設され、これらの光伝送路９１Ｕ、９１Ｄの中継点には、光伝送路９１Ｕ、９１Ｄの双方とのインタフェースが請求項１、２に記載の発明が適用されることによってなるノード装置７０-M、７０-1〜７０-3が配置される。
【００６５】
なお、ノード装置７０-M、７０-1〜７０-3の構成については、図３に示す構成と同じであるので、ここでは、その説明および図示を省略する。
また、これらのノード装置７０-M、７０-1〜７０-3の構成要素については、以下では、光伝送路９１Ｕ、９１Ｄの内、対応する一方を示す添え文字（「Ｕ」あるいは「Ｄ」）と、該当するノード装置を示す添え文字(「Ｍ」、「１」〜「３」の何れか）とを末尾に付加することによって示すこととする。
【００６６】
さらに、本実施形態と図２に示すブロック図との対応関係については、光伝送路９０Ｕ、９０Ｄは伝送路４０に対応し、ノード装置７０-M、７０-1〜７０-3はノード装置４１-1〜４１-Nに対応し、ノード装置７０-Mは監視制御装置４２に対応する。
以下、図３および図４を参照して請求項３に記載の発明に対応した本実施形態の動作を説明する。
【００６７】
ノード装置７０-Mは、光伝送路９１Ｕ、９１Ｄを介して対向するノード装置７０-1〜７０-3が伝送に適用すべきクロックを供給するクロックマスタとして作動する。
【００６８】
また、ノード装置７０-Mでは、正常に稼働している期間には、多重化部９５-UM、９５-DMは、図５に斜線の網掛けを付して示すように、仮想コンテナＶＣ１〜ＶＣ３にそれぞれ割り付けられた警報チャネルＣＳＡ１〜ＣＳＡ３に、それぞれ制御部９６-UM、９６-DMの配下で値を定常的に「０」に設定する。
なお、伝送路９１Ｕ、９１Ｄを介して対向するノード装置７０-1〜７０-3の全てに共通である事項については、以下では、これらのノード装置７０-1〜７０-3を示す符号「７０」に添え番号としてＫ（＝１〜３の何れかを意味する。）を付加して示すこととする。
【００６９】
さらに、ノード装置７０-Kでは、伝送インタフェース部９０-UK(９０-DK)は、先行する直近の伝送区間から光信号が正常に受光されているか否かの判別を行い、その判別の結果が偽となった場合には、その旨を示す監視信号をフレーム処理部９２-UK(９２-DK)に与える。
なお、このような監視信号については、上述した判別の結果が真と偽とであるときに、それぞれ「０」と「１」とになると仮定する。
【００７０】
また、フレーム処理部９２-UK(９２-DK)では、フレーム同期部１０１-UK(１０１-DK)は、従来例と同様にしてフレーム同期を確立すると共に、そのフレーム同期の下で受信され、かつ上述した警報チャネルＣＳＡ１〜ＣＳＡ３の全ての値が「１」であるか否かの判別を行う。
さらに、フレーム処理部９２-UK(９２-DK)は、その判別の結果が真であり、あるいは上述した警報信号の論理値が「１」である状態では、中継処理部７１-UK(７１-DK)および位相吸収処理部９４-UK(９４-DK)に与えるべき受信ベースバンド信号と警報信号との論理値を「１」に保つ。
【００７１】
また、中継処理部７１-UK(７１-DK)および位相吸収処理部９４-UK(９４-DK)は、光伝送路９１Ｕ（９１Ｄ）の先行する直近の伝送区間に生じた障害に適応する所定の障害処理（例えば、光伝送路９１Ｕ、９１Ｄが待機冗長方式あるいは常用冗長方式に基づいて二重化されている場合には、その二重化の方式に適応した系の再構成を達成する処理）を起動する。
【００７２】
さらに、このような障害がノード装置７０-2に先行する光伝送路９１Ｕの直近の伝送区間に発生した場合には、ノード装置７０-2に備えられた多重化部９５-U2 は、仮想コンテナＶＣ１〜ＶＣ３の内、自局に収容された端末（図示されない。）に割り付けられたチャネルが配置される仮想コンテナ（ここでは、簡単のため、仮想コンテナＶＣ１であると仮定する。）については、同様にして配置される警報チャネルＣＳＡ１の値を定常的に「１」に設定する。
【００７３】
また、仮想コンテナＶＣ１〜ＶＣ３の内、仮想コンテナＶＣ１以外の仮想コンテナに同様にして配置された警報チャネルＣＳＡ２、ＣＳＡ３の値（＝１）は、請求項１、２に記載の発明に対応した実施形態と同様にして光伝送路９１Ｕの後続する伝送区間に、中継処理部７１-U2 によって上述した警報チャネルＣＳＡ１の値と共に中継される。
【００７４】
すなわち、ノード装置７０-M、７０-1〜７０-3では、光伝送路９１Ｕ、９１Ｄの双方について、先行する直近の伝送区間だけではなく、他のノード装置を介して先行する何れかの先行の伝送区間に障害が発生したことを確実に識別し、かつ既述の障害処理を起動することが可能となる。
なお、本実施形態では、ノード装置７０-M、７０-1〜７０-3において、位相吸収処理部９４-UM、９４-U1〜９４-U3（９４-DM、９４-D1〜９４-D3）によって既述の処理が行われるべき仮想コンテナの組み合わせが示されていない。
【００７５】
しかし、このような処理については、仮想コンテナＶＣ１〜ＶＣ３の全てについて、例えば、これらの位相吸収処理部９４-UM、９４-U1〜９４-U3（９４-DM、９４-D1〜９４-D3）の何れかにおいて確実に施されることによって、位相差の吸収にかかわる負荷や機能の分散がはかられてもよい。
以下、請求項４、５に記載の発明に対応した本実施形態の動作を説明する。
【００７６】
本実施形態と請求項３に記載の発明に対応した実施形態との相違点は、図４に示すように、ノード装置７０-Mに代えてノード装置７０-mが備えられ、かつノード装置７０-1〜７０-3に代えてノード装置７０ａ-1〜７０ａ-3が備えられた点にある。
なお、ノード装置７０-m、７０ａ-1〜７０ａ-3の構成については、図３に示す構成と同じであるので、ここでは、その説明および図示を省略する。
【００７７】
また、これらのノード装置７０-m、７０ａ-1〜７０ａ-3の構成要素については、以下では、光伝送路９１Ｕ、９１Ｄの内、対応する一方を示す添え文字（「Ｕ」あるいは「Ｄ」）と、該当するノード装置を示す添え文字(「Ｍ」、「１」〜「３」の何れか）とを末尾に付加することによって示すこととする。
以下、図３および図４を参照して請求項４、５に記載の発明に対応した本実施形態の動作を説明する。
【００７８】
ノード装置７０-mでは、位相吸収処理部９４-mU(９４-mD)、多重化部９５-mU(９５-mD)および制御部９６-mU(９６-mD)は、中継処理部７１-mU(７１-mD)と連係することによって、仮想コンテナＶＣ１〜ＶＣ３の全てについて中継処理を行う。
なお、このような中継処理の過程では、制御部９６-mU(９６-mD)は、図６に示すように、仮想コンテナＶＣ１〜ＶＣ３に個別に配置され、かつノード装置７０ａ-1〜７０ａ-3の監視制御にそれぞれ適用されるべきチャネル（以下、「監視制御チャネル」という。）ＣＳＡ１〜ＣＳＡ３を介して、このような監視制御にかかわる情報の送受を適宜行う。
【００７９】
一方、ノード装置７０ａ-1では、位相吸収処理部９４-1U(９４-1D)、多重化部９５-1U(９５-1D)および制御部９６-1U(９６-1D)は、中継処理部７１-1U(７１-1D)と連係することによって、仮想コンテナＶＣ１のみについて同期多重化方式に基づく中継処理を行う。
さらに、制御部９６-1U(９６-1D)は、位相吸収処理部９４-1U(９４-1D)、多重化部９５-1U(９５-1D)および中継処理部７１-1U(７１-1D)と連係することによって、仮想コンテナＶＣ１について中継処理を行い、その中継処理の過程では、図６に示すように、その仮想コンテナＶＣ１に配置され、かつノード装置７０ａ-1の監視制御にそれぞれ適用されるべき監視制御チャネルＣＳＡ１を介して、このような監視制御にかかわる情報の送受を適宜行う。
【００８０】
なお、ノード装置７０ａ-2、７０ａ-3の動作については、上述した同期多重化方式に基づく中継処理が仮想コンテナＶＣ１ではなく、それぞれ仮想コンテナＶＣ２、ＶＣ３に形成される特定のチャネルについて行われ、かつ監視制御にかかわる情報の送受も同様の仮想コンテナＶＣ２、ＶＣ３に個別に形成された監視制御チャネルを介して行われる点を除いて同じであるので、ここではその説明を省略する。
【００８１】
すなわち、ノード装置７０ａ-1〜７０ａ-3の監視制御に供されるべき監視制御チャネルは、これらのノード装置７０ａ-1〜７０ａ-3において同期多重化方式に基づいて中継処理がそれぞれ行われる仮想コンテナＶＣ１〜ＶＣ３に形成される。
したがって、ノード装置７０ａ-1〜７０ａ-3の監視制御とその監視制御の下で行われる保守と運用とについては、同期多重化方式に基づいて中継処理が行われるべき仮想コンテナが無用に増えることなく、ノード装置７０-mの主導の下で確度高く達成される。
【００８２】
なお、本実施形態では、監視制御チャネルＣＳＡ１〜ＣＳＡ３がそれぞれ異なる仮想コンテナＶＣ１〜ＶＣ３に個別に配置されている。
しかし、これらの監視制御チャネルについては、ノード装置７０ａ-1〜７０ａ-3において同期多重化方式に基づいて中継処理が行われるべき仮想コンテナが共通であり、あるいはこのような仮想コンテナの数の増加が許容されると共に、監視制御の対象となるべきノード装置や項目の識別が可能な形式で所望の情報が送受される場合には、例えば、図７に示すように、共通の仮想コンテナに配置され、あるいは共通の仮想コンテナに共通のチャネルとして形成されてもよい。
【００８３】
また、本実施形態では、仮想コンテナＶＣ１〜ＶＣ３に単一の監視制御チャネルが個別に配置されているが、このような監視制御チャネルについては、これらの仮想コンテナＶＣ１〜ＶＣ３に所望の組み合わせで複数配置されてもよい。
さらに、上述した各実施形態では、新同期方式に適応した伝送系の中継点に配置されるノード装置に本願発明が適用されているが、本願発明は、このような新同期方式に限定されず、ペイロードに複数の仮想コンテナが動的に配置され、これらの仮想コンテナの位置を示すポインタが既知のフィールドに配置されることによってなるフレームの単位に伝送が行われる伝送系であれば、如何なる伝送系にも適用が可能である。
【００８４】
また、上述した各実施形態では、環状に形成された光伝送路９０の中継点に配置されたノード装置に本願発明が適用されているが、本願発明は、如何なる構成の網にも適用が可能である。
さらに、上述した各実施形態では、位相吸収処理部９４は、特定の仮想コンテナに形成されるチャネルの内、自局に収容された端末に予め割り付けられたチャネルのみについてバッファメモリを介して位相差の吸収をはかっているが、伝送遅延が許容され、かつハードウエアの規模の削減が所望の比率で達成されるならば、その特定の仮想コンテナに形成される全てのチャネルについてバッファメモリを介して位相差の収集をはかる処理が施されてもよい。
【００８５】
【発明の効果】
上述したように請求項１に記載の発明では、従来例に比べて、ハードウエアのサイズの削減と伝送遅延時間の短縮とがはかられる。
また、請求項２に記載の発明では、伝送路の構成、ハードウエアの増設、改修、保守その他の要求に対する柔軟な適応が可能となる。
【００８６】
さらに、請求項３に記載の発明では、如何なる伝送区間に障害が発生した場合にも、系の再構成が確度高く行われる。
また、請求項４に記載の発明では、非自局落ち仮想コンテナの中継に供されるべきハードウエアに変更が生じることなく、個々のノード装置の監視制御が伝送路を介して確度高く行われる。
【００８７】
さらに、請求項５に記載の発明では、伝送路に配置された多くのノード装置についてハードウエアの構成の標準化がはかられ、かつ請求項４に記載の発明に比べて、監視制御にかかわる処理の簡略化がはかられる。
したがって、これらの発明が適用された伝送系では、コストの削減がはかられ、かつ信頼性および伝送品質が高められる。
【図面の簡単な説明】
【図１】請求項１〜３に記載の発明の原理ブロック図である。
【図２】請求項４、５に記載の発明の原理ブロック図である。
【図３】請求項１、２に記載の発明に対応した実施形態を示す図である。
【図４】請求項３〜５に記載の発明に対応した実施形態を示す図である。
【図５】請求項３に記載の発明に対応した実施形態に適用されたフレームフォーマットを示す図である。
【図６】請求項４、５に記載の発明に対応した実施形態に適用されたフレームフォーマットを示す図である。
【図７】請求項４、５に記載の発明に対応した実施形態に適用可能な他のフレームフォーマットを示す図である。
【図８】新同期方式に適応したノード装置の構成例を示す図である。
【図９】新同期方式のフレームフォーマットを示す図である。
【図１０】フレーム処理部によって生成される信号のタイムチャートである。
【符号の説明】
１１  同期制御手段
１２  分離手段
１３  自局落ちコンテナ適応手段
１４  多重化手段
２１  置局条件適応手段
３１  障害処理手段
４０  伝送路
４１，７０  ノード装置
４２  監視制御装置
７１  中継処理部
７２  リタイミング部
７３  ゲート回路
７４，７７  位相シフタ
７５  受信チャネルセレクタ
７６  位相差検出部
７８  一次セレクタ
７９  副リタイミング部
８０  タイミングデコーダ
８１  二次セレクタ
８２  送信チャネルセレクタ
９０  伝送インタフェース部
９１，９１ｒ，９１ｓ  光伝送路
９２  フレーム処理部
９３  中継処理部
９４  位相吸収処理部
９５  多重化部
９６  制御部
９７  タイミング生成部
１０１  フレーム同期部
１０２  フレーム生成部
１０３  受信バッファ処理部
１０４  送信バッファ処理部
１０５，１０６  チャネルポインタ処理部（ＣＰ）
【図１】
0003950234.tif 000002
【図２】
0003950234.tif 000003
【図３】
0003950234.tif 000004
【図４】
0003950234.tif 000005
【図５】
0003950234.tif 000006
【図６】
0003950234.tif 000007
【図７】
0003950234.tif 000008
【図８】
0003950234.tif 000009
【図９】
0003950234.tif 000010
【図１０】
0003950234.tif 000011